(57)【特許請求の範囲】
【請求項１】
撮影場所を表す撮影場所データおよび撮影日時を表す撮影日時データが関連づけられて
いる画像データであって，撮影画像を表す上記画像データが記録されている記録媒体から
上記画像データ，上記撮影場所データおよび上記撮影日時データを読み取る読み取り手段
，
現在位置を中心として水平方向に東の方角，西の方角，南の方角および北の方角を示し，撮影日時を垂直方向で示す撮影地画像を，表示画面上に表示するように表示装置を制御する第１の表示制御手段，ならびに
上記読み取り手段によって読み取られた画像データによって表される撮影画像を，上記撮影地画像上において，該撮影画像に関連づけられている撮影場所データによって表される撮影場所に相当し，かつ該撮影画像に関連づけられている撮影日時データによって表される撮影日時に相当する位置に，表示するように上記表示装置を制御する第２の表示制御手段，
を備えた画像再生装置。
【請求項２】
上記第１の表示制御手段は，地図を表す上記撮影地画像を表示画面上に表示するように
表示装置を制御するものである，請求項１に記載の画像再生装置。
【請求項３】
上記第２の表示制御手段は，
上記撮影地画像において，垂直方向にとる撮影日時の原点を所定の基準時とし，上記原点の垂直上方に基準時からみて未来の撮影画像を，上記原点の垂直下方に基準時からみて過去の撮影画像をそれぞれ表示するものである， 
請求項１または２に記載の画像再生装置。
【請求項４】
読み取り手段が，撮影場所を表す撮影場所データおよび撮影日時を表す撮影日時データ
が関連づけられている撮影画像を表す画像データが記録されている記録媒体から上記画像
データ，上記撮影場所データおよび上記撮影日時データを読み取り，
第１の表示制御手段が，現在位置を中心として水平方向に東の方角，西の方角，南の方角および北の方角を示し，撮影日時を垂直方向で示す撮影地画像を，表示画面上に表示するように表示装置を制御し，
第２の表示制御手段が，上記読み取り手段によって読み取られた画像データによって表
される撮影画像を，上記撮影地画像上において，該撮影画像に関連づけられている撮影場所データによって表される撮影場所に相当し，かつ該撮影画像に関連づけられている撮影日時データによって表される撮影日時に相当する位置に，表示するように上記表示装置を制御する，
画像再生装置の制御方法。
【請求項５】
撮影場所を表す撮影場所データおよび撮影日時を表す撮影日時データが関連づけられて
いる画像データであって，撮影画像を表す上記画像データが記録されている記録媒体から
上記画像データ，上記撮影場所データおよび上記撮影日時データを読み取る手順，
現在位置を中心として水平方向に東の方角，西の方角，南の方角および北の方角を示し，撮影日時を垂直方向で示す撮影地画像を，表示画面上に表示するように表示装置を制御する手順，
読み取られた画像データによって表される撮影画像を，上記撮影地画像上において，該撮影画像に関連づけられている撮影場所データによって表される撮影場所に相当し，かつ該撮影画像に関連づけられている撮影日時データによって表される撮影日時に相当する位置に，表示するように上記表示装置を制御する手順を画像再生装置のコンピュータに実行させるためのプログラム。
【発明の詳細な説明】
【技術分野】
【０００１】
この発明は，画像再生装置ならびにその制御方法およびその制御プログラムに関する。
【背景技術】
【０００２】
ディジタル・スチル・カメラを用いて撮影された画像を再生するためには様々な工夫がなされている。たとえば，撮影により得られた画像にＧＰＳ（Global Positioning System）から得られる情報を付加しておき，再生時に撮影場所の地図を表示するものがある（特許文献１）。
【特許文献１】特開平10−233985号公報
【０００３】
しかしながら，撮影日時については考慮されていない。
【発明の開示】
【０００４】
この発明は，撮影場所だけでなく撮影日時を考慮して画像を再生することを目的とする。
【０００５】
第１の発明による画像再生装置は，撮影場所を表す撮影場所データおよび撮影日時を表す撮影日時データが関連づけられている画像データであって，撮影画像を表す上記画像データが記録されている記録媒体から上記画像データ，上記撮影場所データおよび上記撮影日時データを読み取る読み取り手段，基準位置から一定範囲内の場所を水平方向で定められる範囲で示し，撮影日時を垂直方向で示す撮影地画像を表示画面上に表示するように表示装置を制御する第１の表示制御手段，ならびに上記読み取り手段によって読み取られた画像データによって表される撮影画像を，関連づけられている撮影場所データによって表される撮影場所に対応し，かつ関連づけられている撮影日時データによって表される撮影日時によって規定される位置に，上記撮影地画像に関連づけて表示するように上記表示装置を制御する第２の表示制御手段を備えていることを特徴とする。
【０００６】
第１の発明は，上記画像再生装置に適した制御方法も提供している。すなわち，この方法は，読み取り手段が，撮影場所を表す撮影場所データおよび撮影日時を表す撮影日時データが関連づけられている画像データであって，撮影画像を表す上記画像データが記録されている記録媒体から上記画像データ，上記撮影場所データおよび上記撮影日時データを読み取り，第１の表示制御手段が，基準位置から一定範囲内の場所を水平方向で定められる範囲で示し，撮影日時を垂直方向で示す撮影地画像を表示画面上に表示するように表示装置を制御し，第２の表示制御手段が，上記読み取り手段によって読み取られた画像データによって表される撮影画像を，関連づけられている撮影場所データによって表される撮影場所に対応し，かつ関連づけられている撮影日時データによって表される撮影日時によって規定される位置に，上記撮影地画像に関連づけて表示するように上記表示装置を制御するものである。
【０００７】
第１の発明は，上記画像再生装置の制御方法を実行するためのプログラムも提供している。
【０００８】
第１の発明によると，基準位置からの一定範囲内の場所が水平方向で定められる範囲で示され，撮影日時が垂直方向で示される撮影地画像が表示される。読み取られた画像データによって表される撮影画像は，画像データに関連づけられている撮影場所データによって表される撮影場所に対応し，かつ画像データに関連づけられている撮影日時データによって表される撮影日時によって規定される位置に，上記撮影地画像に関連づけられて表示される。撮影画像を撮影地画像と関連づけて見ることにより，いつどこで撮影されたものかを直感的に分かる。撮影画像は，撮影場所と撮影日時に依存して表示されるので，撮影者がどのように移動して撮影したかも把握できる。
【０００９】
上記第１の表示制御手段は，たとえば，地図を表す上記撮影地画像を表示画面上に表示するように表示装置を制御するものである。
【００１０】
第２の発明は，撮影場所を表す撮影場所データおよび撮影日時を表す撮影日時データが関連づけられている画像データであって，撮影画像を表す上記画像データが記録されている記録媒体から上記画像データ，上記撮影場所データおよび上記撮影日時データを読み取る読み取り手段，上記読み取り手段によって読み取られた画像データによって表される撮影画像を基準位置からの距離が遠いほど小さくなるように大きさを調整する調整手段，ならびに表示画面の底辺の中央部を基準位置とし，表示画面の左右方向を基準位置からの撮影の方角とし，表示画面の上下方向を撮影日時とし，基準位置と上記読み取り手段によって読み取られた撮影場所データによって表される撮影場所とにより定められ，かつ撮影日時データによって表され撮影日時によって規定される位置に，上記調整手段によって調整された大きさをもつ画像を表示するように表示装置を制御する表示制御手段を備えていることを特徴とする。
【００１１】
第２の発明は，上記画像再生装置に適した制御方法も提供している。すなわち，この方法は，読み取り手段が，撮影場所を表す撮影場所データおよび撮影日時を表す撮影日時データが関連づけられている画像データであって，撮影画像を表す上記画像データが記録されている記録媒体から上記画像データ，上記撮影場所データおよび上記撮影日時データを読み取り，調整手段が，上記読み取り手段によって読み取られた画像データによって表される画像を基準位置からの距離が遠いほど小さくなるように大きさを調整し，表示制御手段が，表示画面の底辺の中央部を基準位置とし，表示画面の上下方向を撮影日時とし，基準位置と上記読み取り手段によって読み取られた撮影場所データによって表される撮影場所とにより定められ，かつ撮影日時データによって表され撮影日時によって規定される位置に，上記調整手段によって調整された大きさをもつ画像を表示するように表示装置を制御するものである。
【００１２】
第２の発明も上記画像再生装置の制御方法を実行するためのプログラムを提供している。
【００１３】
第２の発明によると，記録媒体から読み取られた画像データによって表される画像は基準位置からの距離が遠いほど小さくなるように大きさが調整される。表示画面の底辺の中央部が基準位置とされ，かつ表示画面の左右方向が基準位置からの撮影の方角に，上下方向が撮影日時に対応づけられる。基準位置と撮影場所データによって表される撮影場所とにより定められ，かつ撮影日時データによって表される撮影日時によって規定される位置に，調整された大きさをもつ撮影画像が表示される。あたかも実際の基準位置に相当する場所に基準位置にユーザがいるように撮影画像が表示されるようになる。
【００１４】
第３の発明による画像再生装置は，撮影場所を表す撮影場所データおよび撮影日時を表す撮影日時データが関連づけられている画像データであって，撮影画像を表す上記画像データが記録されている記録媒体から上記画像データおよび上記撮影日時データを読み取る読み取り手段，ならびに上記読み取り手段によって読み取られた撮影日時データによって表される撮影日時順に，読み取られた撮影日時データに関連づけられている画像データによって表される撮影画像を表示画面上に表示するように表示装置を制御する表示制御手段を備えていることを特徴とする。
【００１５】
第３の発明は，上記画像再生装置に適した制御方法も提供している。すなわち，この方法は，読み取り手段が，撮影場所を表す撮影場所データおよび撮影日時を表す撮影日時データが関連づけられている画像データであって，撮影画像を表す上記画像データが記録されている記録媒体から上記画像データおよび上記撮影日時データを読み取り，表示制御手段が，上記読み取り手段によって読み取られた撮影日時データによって表される撮影日時順に，読み取られた撮影日時データに関連づけられている画像データによって表される撮影画像を表示画面上に表示するように表示装置を制御するものである。
【００１６】
第３の発明は，上記画像再生装置の制御方法を実行するためのプログラムも提供している。
【００１７】
第３の発明によると，記録媒体から撮影日時データが読み取られ，読み取られた撮影日時データによって表される撮影日時順に，その撮影日時の撮影画像が順に表示される。表示される撮影画像を閲覧することにより，あたかも閲覧者が撮影場所を移動するかのように疑似体験させることができる。
【００１８】
上記読み取り手段は，撮影日時が連続した画像データを撮影日時の古い順に少なくとも２駒分読み取るものでもよい。また，上記表示制御手段は，撮影日時の古い画像を表示画面の下部に表示し，撮影日時の新しい画像を上記古い画像よりも小さくして表示画面の上部に表示するものでもよい。この場合，上記読み取り手段による読み取りおよび上記表示制御手段による表示制御を繰り返す制御手段をさらに備えることとなろう。
【実施例】
【００１９】
図１は，この発明の実施例を示すもので，ディジタル・スチル・カメラの電気的構成を示すブロック図である。
【００２０】
ディジタル・スチル・カメラの全体の動作は，制御回路10によって統括される。
【００２１】
ディジタル・スチル・カメラには，電源ボタン，シャッタ・レリーズ・ボタン，モード・スイッチなどのボタン類２が設けられている。このボタン類２からの出力信号は，制御回路10に入力する。モード・スイッチにより撮影モード，再生モード（通常再生モードと三次元再生モードとがある）などが設定される。
【００２２】
制御回路10には，日時を計測するための時計11，動作プログラム，ユーザの住所を示すデータ，その他のデータを記憶するメモリ12，ディジタル・スチル・カメラが存在している位置を検出するＧＰＳ回路13も接続されている。
【００２３】
この実施例によるディジタル・スチル・カメラは，他の装置と通信することができる。このために，ディジタル・スチル・カメラには，通信制御回路３および通信回路４が設けられている。後述する動作を制御する動作プログラムを通信回路４によって受信することもできる。通信回路４によって受信された動作プログラムは通信制御回路３および制御回路10を介してメモリ12に与えられ，記憶される。もっとも，動作プログラムがメモリ・カードに格納されている場合には，メモリ・カードから動作プログラムを読み出してカメラにインストールすることもできる。
【００２４】
撮影モードが設定されると，撮像回路１によって被写体が撮影される。被写体像を表す画像データが制御回路10に入力する。制御回路10において，ガンマ補正，色バランス調整などの所定の信号処理が行われて表示制御回路５に入力する。表示制御回路５によって表示装置６が制御されることにより，被写体像が表示装置６の表示画面上に表示される。
【００２５】
シャッタ・レリーズ・ボタンが押されると，上述のように被写体像を表す画像データが制御回路10に入力する。制御回路10には，時計11によって計測される撮影日時を表すデータ，メモリ12に記憶されているユーザの住所を示すデータ，およびＧＰＳ回路13により検出された撮影場所を表すデータも入力する。制御回路10において，画像ファイルが生成され，生成された画像ファイルに画像データ，撮影日時データ，ユーザの住所を示すデータ，撮影場所データ等が格納される。生成された画像ファイルはメモリ・インターフェイス７を介してメモリ・カード８に与えられ，記録される。
【００２６】
通常再生モードが設定されると，メモリ・カード８に記録されている多数の画像ファイルのうち，所望の画像を表す画像ファイルが読み取られる。読み取られた画像ファイルがメモリ・カード・インターフェイス７および制御回路10を介して表示制御回路５に与えられる。表示制御回路５により表示装置６が制御されることにより，表示装置６の表示画面にメモリ・カード８から読み取られた画像ファイルによって表される画像が表示される。  
【００２７】
三次元再生モードが設定されると，メモリ・カード８に記録されている画像ファイルが読み取られ，メモリ・カード・インターフェイス７を介して制御回路10に入力する。制御回路10において，撮影場所，撮影時間に応じた位置に表示されるように表示位置が決定される。決定された位置に表示されるように，表示制御装置５によって表示装置６が制御される。この三次元再生モードについて，詳しくは後述する。
【００２８】
図２は，画像ファイルのファイル構造（データ構造）の一例である。
【００２９】
画像ファイルには，ヘッダ記録領域と画像データ記録領域とが含まれている。
【００３０】
画像データ記録領域には，上述したように撮影により得られた画像データが記録される。
【００３１】
ヘッダ記録領域には，画像ファイルの管理データ等のヘッダ情報が記録される。とくに，この実施例においては上述したように，撮影日時，撮影場所，ユーザの住所をそれぞれ表すデータもヘッダ記録領域に記録される。撮影日時，撮影場所等を用いて画像データによって表される撮影画像の表示の仕方を変えることができる。
【００３２】
図３は，三次元再生モードにより表示される画像の一例である。
【００３３】
三次元再生モードにおいては，表示装置６の表示画面30に撮影地画像31が表示される。この撮影地画像31は，基準位置Ｃを中心として四方の水平方向に東西南北の方角が規定されている。たとえば，基準位置Ｃから右方向，東方向，下方向および上方向がそれぞれ東の方角，西の方角，南の方角および北の方角である。撮影地画像31の垂直方向は撮影日時を規定している。基準位置は，三次元再生モードが行われる現在位置であるが，ディジタル・スチル・カメラのユーザの自宅であってもよい。
【００３４】
三次元再生モードにおいては，メモリ・カード８から読み取られた画像ファイルに格納されている撮影場所データによって表される撮影場所に相当し，かつ撮影日時データによって表される撮影日時に相当する位置に，その画像ファイルに格納されている画像データによって表される撮影画像Ｉ１〜Ｉ29が表示される。
【００３５】
これらの撮影画像Ｉ１〜Ｉ29に対応した陰画像ｉ１〜ｉ29は，撮影地画像31上の対応する場所に表示されている。陰画像ｉ１〜ｉ29は，あたかも撮影画像Ｉ１〜Ｉ29の陰のように見える。もっとも陰画像ｉ１〜ｉ29を表示しなくともよい。撮影画像Ｉ１〜Ｉ29の左下隅の頂点（撮影ポイント）Ｐ１〜Ｐ29には，それぞれ，撮影地画像31の垂直方向に撮影地画像31まで伸びている撮影日時ラインＬ１〜Ｌ29も表示されている。撮影画像Ｉ１〜Ｉ29は，撮影日時に応じた位置に表示されるから，これらの撮影日時ラインＬ１〜Ｌ29は，撮影日時の時間軸の原点（再生日時）を撮影地画像31が表示されている面と考えた場合，撮影日時の古いものほど短くなり，撮影日時の新しいものほど長くなる。もっとも撮影日時ラインＬ１〜Ｌ29を表示させなくともよい。また，撮影日時の原点を変えることにより，その原点の時間を基準とした撮影日時にもとづいて撮影画像Ｉ１〜Ｉ29の表示位置が変わることとなり，その基準時から見て過去または未来の位置に撮影画像Ｉ１〜Ｉ29を表示させることができる。たとえば，基準時から見て過去の撮影画像は撮影地画像31の下方に表示される。
【００３６】
撮影地画像31は，南東の領域31SE，南西の領域31SW，北西の領域31NWおよび北東の領域31NEが規定されている。南西の領域31SWのある固まった地域を示す部分に撮影画像Ｉ１〜Ｉ５が表示され，北西の領域31NWのある固まった地域を示す部分に撮影画像Ｉ11，Ｉ12が表示され，北東の領域31NEのある固まった地域を示す部分に撮影画像Ｉ21〜Ｉ29が表示されている。これらの地域ごとにまとまった撮影画像を見ることにより，撮影者の撮影時の移動ルートを推定できる。
【００３７】
図４は，三次元再生モードの処理手順を示すフローチャートである。
【００３８】
ＧＰＳ回路13によって現在位置が算出される（ステップ21）。算出された現在位置が基準位置とされて，撮影地画像が表示される（ステップ22）。
【００３９】
つづいて，メモリ・カードに記録されている多数の画像ファイルが読み取られる（ステップ23）。読み取られた画像ファイルに格納されている撮影日時データおよび撮影場所データによってそれぞれ表される撮影日時および撮影場所から，撮影画像の表示位置が決定される（ステップ24）。決定された位置に撮影画像が表示される（ステップ25）。撮影画像の表示位置は，撮影場所と撮影日時に依存しているので，表示されている撮影画像の位置を確認することにより，どこでいつ頃撮影された画像かが分かる。また，撮影者の移動ルートも分かるようになる。
【００４０】
図５は，変形例を示すもので，表示画面に表示されている画像の一例である。
【００４１】
図３に示すものにおいては，撮影地画像31は単に東西南北を示すものであったが，図５に示すものでは，撮影地画像32は基準位置を中心とした地図の画像となっている。地図の画像を見ることにより，撮影場所の地名を確認できる。地図の撮影地画像32の表示は，現在の位置情報を，地図データを送信するマップ・サーバに送信し，そのマップ・サーバが位置情報に対応した地図を表す画像データをディジタル・スチル・カメラに送信することにより実現できる。
【００４２】
図６から図９は，他の実施例を示すものである。この実施例は，撮影者が移動しながら撮影したのと同様の疑似体験ができるものである。撮影順序にしたがって撮影により得られた撮影画像が表示画面に表示される。
【００４３】
図６は，三次元再生モードにより表示された画像を示している。
【００４４】
この実施例においては，上述したように撮影画像Ｉ１〜Ｉ29から撮影者の移動ルートを推測することができる。この実施例においては，撮影画像が撮影順序にしたがって，表示画面に表示されるから，表示画面に表示される撮影画像を見ることにより撮影者による撮影時の視点と同じ視点となることができる。たとえば，撮影者35が撮影ポイントＰ１〜Ｐ29と移動しながら撮影画像Ｉ１〜Ｉ29が得られた場合，撮影順序にしたがって撮影画像Ｉ１〜Ｉ29が表示されることとなる。
【００４５】
以下の説明においては，表示画面上に同時に２駒の撮影画像が順に表示されるが一駒の撮影画像が表示されてもよいし，３駒以上の撮影画像が表示されてもよい。３駒以上の撮影画像が表示される場合，それらの撮影画像は撮影日時の古い順に下から上に表示され，かつ上に表示されるものほど大きさが小さくなる。
【００４６】
図７は，再生処理手順を示すフローチャートである。
【００４７】
メモリ・カード８から撮影日時の新しい２駒の画像ファイルが読み取られる（ステップ41）。読み取られた２駒の画像ファイルによって表される２駒の撮影画像のうち，撮影日時の古い画像が，撮影日時の新しい画像よりも大きくなるように画像の大きさが調整される（ステップ42）。すると，撮影日時の新しい画像が表示画面の下部に，撮影日時の古い画像が表示画面の上部に表示されるように位置関係が決定されて，新しい画像と古い画像とが表示される（ステップ43）。また，撮影画像の位置関係も維持されるように表示位置が決定される。たとえば，表示画面の左方向が西の方角，表示画面の右方向が東の方角と規定されているとすると，それらの方角と撮影画像の撮影場所の位置関係とから２駒の撮影画像の位置関係が決定される。
【００４８】
図８は，撮影日時の新しい画像と古い画像とが表示されている画像の一例である。
【００４９】
表示画面の左方向は，西の方角に規定され，表示画面30の右方向は東の方角に規定されているものとする。
【００５０】
上述したように，メモリ・カードから画像ファイルが２駒分読み取られる。２駒分の画像ファイルによって撮影画像51と撮影画像52とが表示される。一方の撮影画像51は，他方の撮影画像52よりも大きくなるように画像の大きさが調整されている。また，一方の撮影画像51は表示画面30の下部に表示され，他方の撮影画像52は表示画面30の上部に表示されている。さらに，撮影画像51の撮影場所は，撮影画像52の撮影場所よりも西の方角であったものとする。このために撮影画像51は，撮影画像52よりも左側（西側）に表示されている。
【００５１】
図７に戻って，駒送りボタンが押されると（ステップ44でＹＥＳ），他のモードへの移行指令が与えられなければ（ステップ45でＮＯ），撮影日時が次に新しい画像ファイルがメモリ・カード８から読み取られる（ステップ46）。
【００５２】
新しく読み取られた画像ファイルによって表される撮影画像よりも以前の新しい画像（新しく画像ファイルが読み取られたことにより古い画像となる）の方が大きくなり，かつ下部に位置するように，２駒の撮影画像が表示画面に表示される（ステップ42，43）。
【００５３】
図９は，表示画面30に表示される画像の一例である。
【００５４】
上述したように，新しく画像ファイルがメモリ・カードから読み取られる。新しく読み取られた画像ファイルによって表される画像を撮影画像53とする。撮影日時の古い撮影画像51（図８参照）は，表示画面30に表示されていない。撮影画像52は，撮影画像53よりも古いから撮影画像53よりも大きく表示され，かつ下部に表示されている。
【００５５】
このように，新たな画像ファイルが読み取られることにより表示画面30に表示される撮影画像も更新される。表示画面30には，古い撮影日時の画像が大きく，かつ下部に表示されるので，閲覧者は，撮影画像が更新されるごとに撮影者の撮影順序にしたがって撮影場所を移動しながら撮影場所を閲覧するような疑似体験ができる。
【００５６】
図10から図12は，さらに他の実施例を示すものである。
【００５７】
図10は，三次元再生モードにより表示された画像を示している。
【００５８】
この実施例においては，基準の位置Ｃに閲覧者36がいるかのように撮影画像を見せるものである。
【００５９】
図11は，再生処理手順を示すフローチャートである。
【００６０】
まず，現在位置が算出される（ステップ61）。現在位置よりも所定の方角（この例では，北の方角とする）で撮影された画像ファイルがメモリ・カード８から読み取られる（ステップ62）。読み取られた画像ファイルの撮影場所と基準位置との距離が遠いほど，画像ファイルによって表される撮影画像の大きさが小さくなるように画像の大きさが調整される（ステップ63）。
【００６１】
さらに，表示画面の左方向を西の方角，右方向を東の方角とし，縦方向を撮影日時に割り当てる。撮影日時が新しいほど表示画面の上部に撮影画像が表示される。表示画面の底辺の中央を基準位置とし，撮影場所，撮影日時から撮影画像の表示位置が決定される（ステップ64）。決定された位置に撮影画像が表示される（ステップ65）。
【００６２】
図12は，表示画面30に表示される画像の一例である。
【００６３】
上述したように，表示画面30の左方向が西の方角に規定され，右方向が東の方角に規定されている。表示画面30の縦方向は撮影日時に対応している。さらに，表示画面30の底辺の中央70は基準位置とされている。
【００６４】
表示画面30には，上述したように，基準位置から北の方角の撮影場所で撮影された画像71〜74が表示されている。また，これらの撮影画像71〜74の大きさは，基準位置から遠いほど小さくなっている。さらに，撮影画像71〜74は，撮影日時が新しいほど表示画面30の上部に表示されるように位置決めされている。
【００６５】
このように，撮影画像71〜74が表示されることにより，閲覧者が基準位置にいるような風景を見ることができる。
【図面の簡単な説明】
【００６６】
【図１】ディジタル・スチル・カメラの電気的構成を示すブロック図である。
【図２】画像ファイルのファイル構造を示している。
【図３】表示画面に表示される画像の一例である。
【図４】三次元再生モードの処理手順を示すフローチャートである。
【図５】表示画面に表示される画像の一例である。
【図６】閲覧者が疑似体験する様子を示している。
【図７】再生処理手順を示すフローチャートである。
【図８】表示画面に表示される画像の一例である。
【図９】表示画面に表示される画像の一例である。
【図１０】閲覧者が疑似体験する様子を示している。
【図１１】再生処理手順を示すフローチャートである。
【図１２】表示画面に表示される画像の一例である。
【符号の説明】
【００６７】
５  表示制御装置
６  表示装置
７  メモリ・カード・インターフェイス
８  メモリ・カード
10  制御回路
11  時計
12  メモリ
13  ＧＰＳ回路
30  表示画面
31，32  撮影地画像
Ｉ１〜Ｉ29  撮影画像
【図１】
0004521372.tif 000002
【図２】
0004521372.tif 000003
【図３】
0004521372.tif 000004
【図４】
0004521372.tif 000005
【図５】
0004521372.tif 000006
【図６】
0004521372.tif 000007
【図７】
0004521372.tif 000008
【図８】
0004521372.tif 000009
【図９】
0004521372.tif 000010
【図１０】
0004521372.tif 000011
【図１１】
0004521372.tif 000012
【図１２】
0004521372.tif 000013